(57)【要約】【課題】被包装物を容易に取り出すことができる包装用箱を提供する。【解決手段】包装用箱２は、開口部３８を有する箱本体６と、開口部３８を覆う閉位置と開口部３８を露出させる開位置との間を回動自在に箱本体６に接続された蓋体８と、箱本体６の内部に開口部３８に向けて移動自在に収納され、被包装物であるヘッドホン４を保持するための保持部材１０と、蓋体８と保持部材１０とを連結することにより、蓋体８の閉位置から開位置に向かう開動作に連動して、保持部材１０を箱本体６の内部から開口部３８に向けて移動させる連動部材１２とを備える。【選択図】図６Ｂ
2017043369.tif 000002
【特許請求の範囲】
【請求項１】
被包装物を包装するための包装用箱であって、
開口部を有する箱本体と、
前記開口部を覆う閉位置と前記開口部を露出させる開位置との間を回動自在に前記箱本体に接続された蓋体と、
前記箱本体の内部に前記開口部に向けて移動自在に収納され、前記被包装物を保持するための保持部材と、
前記蓋体と前記保持部材とを連結することにより、前記蓋体の前記閉位置から前記開位置に向かう開動作に連動して、前記保持部材を前記箱本体の内部から前記開口部に向けて移動させる連動部材と、を備える
包装用箱。
【請求項２】
前記蓋体は、
前記箱本体に回動自在に接続された第１の蓋片と、
前記第１の蓋片の前記箱本体と反対側の端部に回動自在に接続された第２の蓋片と、を有し、
前記連動部材は、前記第１の蓋片と前記保持部材とを連結する
請求項１に記載の包装用箱。
【請求項３】
前記箱本体は、
六角柱の対向する一対の端面をそれぞれ形成する六角形状の一対の端板と、
前記一対の端板の間に配置され、前記六角柱の６つの側面のうち隣接する３つの側面をそれぞれ形成する矩形状の３つの側板と、を有し、
前記開口部は、前記六角柱の前記６つの側面のうち残りの３つの側面に対応して形成され、
前記蓋体は、前記閉位置に位置した際に、前記六角柱の前記残りの３つの側面を形成する
請求項１に記載の包装用箱。
【請求項４】
前記蓋体は、前記３つの側板のうち両側の一対の側板にそれぞれ回動自在に両開き式に接続された第１の蓋部及び第２の蓋部を有し、
前記連動部材は、
前記保持部材の一端部と前記第１の蓋部の裏面とを連結する第１の連動部と、
前記保持部材の他端部と前記第２の蓋部の裏面とを連結する第２の連動部と、を有する
請求項３に記載の包装用箱。
【請求項５】
前記一対の端板の各々は、六角形の６つの辺のうち対向する一対の長辺の各々が第１の長さを有し、且つ、前記六角形の前記６つの辺のうち残りの４つの短辺の各々が前記第１の長さよりも短い第２の長さを有する六角形状に形成され、
前記開口部は、前記長辺と当該長辺の両側に隣接する一対の短辺とに対応して形成されている
請求項４に記載の包装用箱。
【請求項６】
前記第１の蓋部は、
前記一対の側板のうち一方の側板に回動自在に接続された第１の蓋片と、
前記第１の蓋片の前記一方の側板と反対側の端部に回動自在に接続された第２の蓋片と、を有し、
前記第２の蓋部は、
前記一対の側板のうち他方の側板に回動自在に接続された第３の蓋片と、
前記第３の蓋片の前記他方の側板と反対側の端部に回動自在に接続された第４の蓋片と、を有し、
前記第１の連動部は、前記保持部材の前記一端部と前記第１の蓋片の裏面とを連結し、
前記第２の連動部は、前記保持部材の前記他端部と前記第３の蓋片の裏面とを連結する
請求項４又は５に記載の包装用箱。
【請求項７】
前記箱本体は、
直方体の底面を形成する矩形状の底板と、
前記底板の各辺に接続され、前記直方体の４つの側面をそれぞれ形成する矩形状の４つの側板と、を有し、
前記開口部は、前記直方体の前記底面に対向する天面に形成され、
前記蓋体は、前記４つの側板のうち１つの側板に回動自在に接続され、前記閉位置に位置した際に、前記直方体の前記天面を形成する
請求項１に記載の包装用箱。
【発明の詳細な説明】
【技術分野】
【０００１】
本開示は、被包装物を包装するための包装用箱に関する。
【背景技術】
【０００２】
特許文献１は、被包装物を包装するための包装用箱を開示する。この包装用箱の天面側における開口部の周縁部には、外側フラップ及び複数の内側フラップが形成されている。これらの外側フラップ及び複数の内側フラップは、上記開口部を開閉自在に覆う蓋として機能する。複数の内側フラップの各々は、上記開口部を覆うように内側に略垂直に折り曲げられる。外側フラップは、複数の内側フラップの各々に外側から重なるように略垂直に折り曲げられる。
【０００３】
被包装物を包装用箱の外部に取り出す際には、外側フラップ及び複数の内側フラップをそれぞれ開いて開口部を露出させた後に、包装用箱の内部から被包装物を手で引き出す必要がある。
【先行技術文献】
【特許文献】
【０００４】
【特許文献１】特表２００３−５３５７８５号公報
【発明の概要】
【発明が解決しようとする課題】
【０００５】
本開示は、被包装物を容易に取り出すことができる包装用箱を提供する。
【課題を解決するための手段】
【０００６】
本開示における包装用箱は、被包装物を包装するための包装用箱であって、開口部を有する箱本体と、開口部を覆う閉位置と開口部を露出させる開位置との間を回動自在に箱本体に接続された蓋体と、箱本体の内部に開口部に向けて移動自在に収納され、被包装物を保持するための保持部材と、蓋体と保持部材とを連結することにより、蓋体の閉位置から開位置に向かう開動作に連動して、保持部材を箱本体の内部から開口部に向けて移動させる連動部材と、を備える。
【発明の効果】
【０００７】
本開示における包装用箱によれば、被包装物を容易に取り出すことができる。
【図面の簡単な説明】
【０００８】
【図１】蓋体が閉位置に位置した状態での、実施の形態１に係る包装用箱の外観を示す斜視図である。
【図２】実施の形態１に係る包装用箱を示す図である。
【図３】図２の（ａ）のＩＩＩ−ＩＩＩ断面図である。
【図４Ａ】蓋体が中間位置に位置した状態での、実施の形態１に係る包装用箱の外観を示す斜視図である。
【図４Ｂ】蓋体が開位置に位置した状態での、実施の形態１に係る包装用箱の外観を示す斜視図である。
【図５】ヘッドホンが保持部材に保持された状態での、実施の形態１に係る包装用箱の断面図である。
【図６Ａ】ヘッドホンが保持部材に保持され且つ蓋体が中間位置に位置した状態での、実施の形態１に係る包装用箱の外観を示す斜視図である。
【図６Ｂ】ヘッドホンが保持部材に保持され且つ蓋体が開位置に位置した状態での、実施の形態１に係る包装用箱の外観を示す斜視図である。
【図７】ヘッドホンが保持部材に保持され且つ蓋体が開位置に位置した状態での、実施の形態１に係る包装用箱の外観を示す側面図である。
【図８】蓋体が閉位置に位置した状態での、実施の形態２に係る包装用箱の外観を示す斜視図である。
【図９】実施の形態２に係る包装用箱を示す図である。
【図１０】図９の（ａ）のＸ−Ｘ断面図である。
【図１１】蓋体が開位置に位置した状態での、実施の形態２に係る包装用箱の外観を示す斜視図である。
【図１２】ヘッドホンが保持部材に保持された状態での、実施の形態２に係る包装用箱の断面図である。
【図１３】ヘッドホンが保持部材に保持され且つ蓋体が開位置に位置した状態での、実施の形態２に係る包装用箱の外観を示す斜視図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者らは、当業者が本開示を十分に理解するために添付図面及び以下の説明を提供するのであって、これらによって特許請求の範囲に記載の主題を限定することを意図するものではない。
【００１１】
（実施の形態１）
以下、図１〜図７を参照しながら、実施の形態１について説明する。
【００１２】
［１−１．包装用箱の構成］
［１−１−１．包装用箱の全体構成］
図１〜図４Ｂを参照しながら、包装用箱２の全体構成について説明する。図１は、蓋体８が閉位置に位置した状態での、実施の形態１に係る包装用箱２の外観を示す斜視図である。図２は、実施の形態１に係る包装用箱２を示す図である。図２の（ａ）は、包装用箱２の正面図であり、図２の（ｂ）は、包装用箱２の背面図であり、図２の（ｃ）は、包装用箱２の平面図であり、図２の（ｄ）は、包装用箱２の底面図であり、図２の（ｅ）は、包装用箱２の右側面図であり、図２の（ｆ）は、包装用箱２の左側面図である。図３は、図２の（ａ）のＩＩＩ−ＩＩＩ断面図である。図４Ａは、蓋体８が中間位置に位置した状態での、実施の形態１に係る包装用箱２の外観を示す斜視図である。図４Ｂは、蓋体８が開位置に位置した状態での、実施の形態１に係る包装用箱２の外観を示す斜視図である。
【００１３】
図１〜図４Ｂに示すように、包装用箱２は、被包装物としてのヘッドホン４（後述する図５〜図６Ｂ参照）を包装するための六角柱形状の箱であり、箱本体６、蓋体８、保持部材１０及び連動部材１２を備えている。
【００１４】
ヘッドホン４は、例えば店頭で陳列される商品である。なお、実施の形態１では、被包装物がヘッドホン４である例について説明するが、これに限定されず、被包装物は、例えば、スピーカ等のオーディオアクセサリ商品、美顔器等の理美容商品、化粧品及び日用雑貨等の日用品、又は、ウイスキー及びワイン等の飲料品等の種々の商品であってもよい。
【００１５】
以下、上述した包装用箱２の各構成要素について詳細に説明する。
【００１６】
［１−１−２．箱本体の構成］
まず、図１〜図４Ｂを参照しながら、箱本体６の構成について説明する。
【００１７】
図１及び図２に示すように、箱本体６は、例えば六角柱形状を有しており、一対の端板１４，１６と、３つの側板１８，２０，２２とを有している。箱本体６は、例えば厚紙、段ボール又は樹脂等で形成されている。
【００１８】
一対の端板１４，１６はそれぞれ、六角柱の対向する一対の端面２４ａ，２４ｂを形成する六角形状の端板である。すなわち、一対の端板１４，１６は、Ｚ軸方向に間隔を置いて且つ互いに対向するように配置されている。なお、「六角柱」とは、包装用箱２によって形成される仮想的な立体形状である。
【００１９】
図２の（ｃ）に示すように、端板１４は、六角形の６つの辺２６ａ，２６ｂ，２６ｃ，２６ｄ，２６ｅ，２６ｆ（２６ａ〜２６ｆ）のうち対向する一対の長辺２６ａ，２６ｄの各々が第１の長さＬ１を有し、且つ、六角形の６つの辺２６ａ〜２６ｆのうち残りの４つの短辺２６ｂ，２６ｃ，２６ｅ，２６ｆの各々が第１の長さＬ１よりも短い第２の長さＬ２を有する六角形状に形成されている。なお、「六角形」とは、端板１４又は端板１６によって形成される仮想的な平面形状である。
【００２０】
図３に示すように、端板１４の短辺２６ｃ，２６ｅにはそれぞれ、箱本体６の内部に向けて且つ側板１８，２２の各内面に重なるように延びる一対の取付片２８が形成されている。さらに、図３〜図４Ｂに示すように、端板１４の長辺２６ａ及び当該長辺２６ａの両側に隣接する一対の短辺２６ｂ，２６ｆには、箱本体６の外部に向けて且つ蓋体８の内面に重なるように延びる当接片３０が形成されている。なお、当接片３０にはマグネット（図示せず）が取り付けられている。
【００２１】
図２の（ｄ）に示すように、端板１６は、上述した端板１４と同様に、六角形の６つの辺２６ａ〜２６ｆのうち対向する一対の長辺２６ａ，２６ｄの各々が第１の長さＬ１を有し、且つ、六角形の６つの辺２６ａ〜２６ｆのうち残りの４つの短辺２６ｂ，２６ｃ，２６ｅ，２６ｆの各々が第１の長さＬ１よりも短い第２の長さＬ２を有する六角形状に形成されている。
【００２２】
図３に示すように、端板１６の短辺２６ｃ，２６ｅにはそれぞれ、箱本体６の内部に向けて且つ側板１８，２２の各内面に重なるように延びる一対の取付片３２が形成されている。さらに、図３〜図４Ｂに示すように、端板１６の長辺２６ａ及び当該長辺２６ａの両側に隣接する一対の短辺２６ｂ，２６ｆには、箱本体６の外部に向けて且つ蓋体８の内面に重なるように延びる当接片３４が形成されている。なお、当接片３４にはマグネット（図示せず）が取り付けられている。
【００２３】
図２に示すように、３つの側板１８，２０，２２はそれぞれ、六角柱の６つの側面３６ａ，３６ｂ，３６ｃ，３６ｄ，３６ｅ，３６ｆ（３６ａ〜３６ｆ）のうち隣接する３つの側面３６ｃ，３６ｄ，３６ｅを形成する矩形状の側板である。３つの側板１８，２０，２２は、一対の端板１４，１６の間に配置され、Ｚ軸方向に長尺状に延びている。図３に示すように、側板１８，２２の長手方向（Ｚ軸方向）における一端部の内面にはそれぞれ、端板１４の一対の取付片２８が接着剤等で取り付けられている。また、側板１８，２２の長手方向における他端部の内面にはそれぞれ、端板１６の一対の取付片３２が接着剤等で取り付けられている。これにより、端板１４は３つの側板１８，２０，２２の長手方向における一端部に固定され、端板１６は３つの側板１８，２０，２２の長手方向における他端部に固定される。
【００２４】
図４Ｂに示すように、六角柱の６つの側面３６ａ〜３６ｆのうち残りの３つの側面３６ａ，３６ｂ，３６ｆに対応して、開口部３８が形成されている。すなわち、開口部３８は、一対の端板１４，１６の各々が形成する六角形の長辺２６ａと当該長辺２６ａの両側に隣接する一対の短辺２６ｂ，２６ｆとに対応して形成されている。
【００２５】
［１−１−３．蓋体の構成］
次に、図１〜図４Ｂを参照しながら、蓋体８の構成について説明する。
【００２６】
図１〜図４Ｂに示すように、蓋体８は、箱本体６の開口部３８を開閉自在に覆うための蓋であり、第１の蓋部４０及び第２の蓋部４２を有している。第１の蓋部４０及び第２の蓋部４２はそれぞれ、箱本体６の３つの側板１８，２０，２２のうち両側の一対の側板１８，２２に回動自在に両開き式（いわゆる、観音開き式）に接続されている。なお、第１の蓋部４０及び第２の蓋部４２の各々は、例えば厚紙、段ボール又は樹脂等で形成されている。
【００２７】
第１の蓋部４０は、矩形状に形成されており、端板１４側の端部から端板１６側の端部まで直線状に延びる折り曲げ線４４に沿って折り曲げ自在である。第１の蓋部４０の折り曲げ線４４よりも側板１８側の領域には第１の蓋片４６が形成され、第１の蓋部４０の折り曲げ線４４よりも側板１８と反対側の領域には第２の蓋片４８が形成されている。第１の蓋片４６及び第２の蓋片４８の各々は、Ｚ軸方向に長尺状に延びている。第１の蓋片４６は、側板１８に回動自在に接続され、第２の蓋片４８は、第１の蓋片４６の側板１８と反対側の端部に回動自在に接続されている。
【００２８】
第１の蓋部４０は、閉位置（図１参照）と開位置（図４Ｂ参照）との間を回動することができる。図１に示すように、第１の蓋部４０が閉位置に位置した際には、第１の蓋部４０が折り曲げ線４４に沿って山折り状に折り曲げられることにより、第１の蓋片４６は、開口部３８の短辺２６ｂに対応する範囲を覆い、第２の蓋片４８は、開口部３８の長辺２６ａの一部に対応する範囲を覆う。すなわち、第１の蓋片４６は六角柱の側面３６ｂを形成し、第２の蓋片４８は六角柱の側面３６ａの一部を形成する。なお、第２の蓋片４８の長手方向（Ｚ軸方向）における両端部にはそれぞれマグネット（図示せず）が取り付けられている。第２の蓋片４８のマグネットと当接片３０，３４の各マグネットとが互いに吸着することにより、第１の蓋部４０が閉位置に保持される。
【００２９】
図４Ａに示すように、第２の蓋片４８が折り曲げ線４４を中心に回動する（すなわち、第１の蓋部４０が折り曲げ線４４に沿って谷折り状に折り曲げられる）ことにより、第１の蓋部４０は、閉位置と開位置との中間の中間位置に位置する。このとき、第１の蓋片４６は、開口部３８の短辺２６ｂに対応する範囲を覆い、第２の蓋片４８は、開口部３８の長辺２６ａの一部に対応する範囲を露出させる。
【００３０】
図４Ｂに示すように、第１の蓋片４６が第１の蓋片４６と側板１８との境界を中心に回動することにより、第１の蓋部４０は開位置に位置する。このとき、第１の蓋片４６は、開口部３８の短辺２６ｂに対応する範囲を露出させ、第２の蓋片４８は、開口部３８の長辺２６ａの一部に対応する範囲を露出させる。
【００３１】
第２の蓋部４２は、第１の蓋部４０と同様に、矩形状に形成されており、端板１４側の端部から端板１６側の端部まで直線状に延びる折り曲げ線５０に沿って折り曲げ自在である。第２の蓋部４２の折り曲げ線５０よりも側板２２側の領域には第３の蓋片５２が形成され、第２の蓋部４２の折り曲げ線５０よりも側板２２と反対側の領域には第４の蓋片５４が形成されている。第３の蓋片５２及び第４の蓋片５４の各々は、Ｚ軸方向に長尺状に延びている。第３の蓋片５２は、側板２２に回動自在に接続され、第４の蓋片５４は、第３の蓋片５２の側板２２と反対側の端部に回動自在に接続されている。
【００３２】
第２の蓋部４２は、第１の蓋部４０と同様に、閉位置（図１参照）と開位置（図４Ｂ参照）との間を回動することができる。図１に示すように、第２の蓋部４２が閉位置に位置した際には、第２の蓋部４２が折り曲げ線５０に沿って山折り状に折り曲げられることにより、第３の蓋片５２は、開口部３８の短辺２６ｆに対応する範囲を覆い、第４の蓋片５４は、開口部３８の長辺２６ａの残りの一部に対応する範囲を覆う。すなわち、第３の蓋片５２は六角柱の側面３６ｆを形成し、第４の蓋片５４は六角柱の側面３６ａの残りの一部を形成する。なお、第４の蓋片５４の長手方向（Ｚ軸方向）における両端部にはそれぞれマグネット（図示せず）が配置されている。第４の蓋片５４のマグネットと当接片３０，３４の各マグネットとが互いに吸着することにより、第２の蓋部４２が閉位置に保持される。
【００３３】
図４Ａに示すように、第４の蓋片５４が折り曲げ線５０を中心に回動する（すなわち、第２の蓋部４２が折り曲げ線５０に沿って谷折り状に折り曲げられる）ことにより、第２の蓋部４２は、閉位置と開位置との中間の中間位置に位置する。このとき、第３の蓋片５２は、開口部３８の短辺２６ｆに対応する範囲を覆い、第４の蓋片５４は、開口部３８の長辺２６ａの残りの一部に対応する範囲を露出させる。
【００３４】
図４Ｂに示すように、第３の蓋片５２が第３の蓋片５２と側板２２との境界を中心に回動することにより、第２の蓋部４２は開位置に位置する。このとき、第３の蓋片５２は、開口部３８の短辺２６ｂに対応する範囲を露出させ、第４の蓋片５４は、開口部３８の長辺２６ａの残りの一部に対応する範囲を露出させる。
【００３５】
したがって、図１に示すように、第１の蓋部４０及び第２の蓋部４２の各々が閉位置に位置した（すなわち、蓋体８が閉位置に位置した）際には、開口部３８の全域が第１の蓋部４０及び第２の蓋部４２により覆われる。また、図４Ａに示すように、第１の蓋部４０及び第２の蓋部４２の各々が中間位置に位置した（すなわち、蓋体８が中間位置に位置した）際には、開口部３８の一部のみが露出される。さらに、図４Ｂに示すように、第１の蓋部４０及び第２の蓋部４２の各々が開位置に位置した（すなわち、蓋体８が開位置に位置した）際には、開口部３８の全域が露出される。
【００３６】
［１−１−４．保持部材の構成］
次に、図３〜図４Ｂを参照しながら、保持部材１０の構成について説明する。
【００３７】
保持部材１０は、ヘッドホン４を保持するためのものであり、箱本体６の内部に開口部３８に向けて移動自在に収納されている。図３〜図４Ｂに示すように、保持部材１０は、第１の保持部５６及び第２の保持部５８を有している。なお、保持部材１０は、例えば厚紙、段ボール又は樹脂等で形成されている。
【００３８】
図４Ａ及び図４Ｂに示すように、第１の保持部５６は、Ｘ軸方向に長尺状に延びており、長手方向（Ｘ軸方向）における一端部から他端部まで直線状に延びる折り曲げ線５９に沿って折り曲げ自在である。図４Ｂに示すように、第１の保持部５６の長手方向における両端部にはそれぞれ、例えばウレタン等のクッション材で形成された一対のホルダ６０，６２が取り付けられている。
【００３９】
図４Ｂに示すように、第２の保持部５８は、第１の保持部５６に接続されている。図３に示すように、第２の保持部５８は凹状に形成されている。
【００４０】
後述する図５及び図６Ｂに示すように、一対のホルダ６０，６２にそれぞれヘッドホン４のヘッドセット６４の両端部が着脱自在に挟持され、且つ、第２の保持部５８にヘッドホン４の一対のハウジング６６が収容されることにより、ヘッドホン４が保持部材１０に保持される。
【００４１】
［１−１−５．連動部材の構成］
次に、図３〜図４Ｂを参照しながら、連動部材１２の構成について説明する。
【００４２】
連動部材１２は、第１の蓋部４０及び第２の蓋部４２の閉位置から開位置に向かう方向への開動作（回動動作）に連動して、保持部材１０を箱本体６の内部から開口部３８に向けて移動させるためのものである。図３及び図４Ｂに示すように、連動部材１２は、第１の連動部６８及び第２の連動部７０を有している。第１の連動部６８は、第１の保持部５６の長手方向における一端部と第１の蓋片４６の裏面（すなわち、閉位置における箱本体６の内部側の面）とを連結する。第２の連動部７０は、第１の保持部５６の長手方向における他端部と第３の蓋片５２の裏面（すなわち、閉位置における箱本体６の内部側の面）とを連結する。なお、第１の連動部６８及び第２の連動部７０の各々は、例えば厚紙、段ボール又は樹脂等で形成されている。
【００４３】
図４Ａに示すように、第１の蓋部４０及び第２の蓋部４２の各々が閉位置から中間位置まで回動する際には、第１の蓋片４６及び第３の蓋片５２はそれぞれ、開口部３８の短辺２６ｂ，２６ｆに対応する範囲を覆った状態に保持される。これにより、図３及び図４Ａに示すように、保持部材１０は、第１の連動部６８及び第２の連動部７０により移動することなく、箱本体６の内部に収納された状態で静止している。このとき、第１の保持部５６は折り曲げ線５９に沿って折り曲げられておらず、保持部材１０はＺ軸方向に延びた姿勢に保持される。
【００４４】
一方、図４Ｂに示すように、第１の蓋部４０及び第２の蓋部４２の各々が中間位置から開位置まで回動する際には、第１の蓋片４６及び第３の蓋片５２はそれぞれ側板１８，２２に対して回動する。この第１の蓋部４０及び第２の蓋部４２の各開動作に連動して、第１の保持部５６の長手方向における両端部はそれぞれ、第１の連動部６８及び第２の連動部７０によって箱本体６の開口部３８に向けて牽引される。これにより、第１の保持部５６は折り曲げ線５９に沿って山折り状に折り曲げられるので、保持部材１０は、箱本体６の内部から開口部３８に向けて移動する。このとき、保持部材１０は、Ｚ軸方向に対して傾斜した姿勢に保持され、第１の保持部５６の少なくとも一部は、箱本体６の開口部３８から箱本体６の外部に突出するようになる。
【００４５】
なお、保持部材１０が箱本体６の内部から開口部３８に向けて移動した際には、第２の保持部５８は、３つの側板１８，２０，２２の各内面を摺動するようになる。そのため、保持部材１０の動きを良くするために、例えば３つの側板１８，２０，２２の各内面及び保持部材１０をそれぞれ滑りの良い布生地（図示せず）で覆ってもよい。
【００４６】
［１−２．ヘッドホンの取り出し手順］
次に、図１及び図５〜図７を参照しながら、ヘッドホン４を包装用箱２の外部に取り出す手順について説明する。図５は、ヘッドホン４が保持部材１０に保持された状態での、実施の形態１に係る包装用箱２の断面図である。図６Ａは、ヘッドホン４が保持部材１０に保持され且つ蓋体８が中間位置に位置した状態での、実施の形態１に係る包装用箱２の外観を示す斜視図である。図６Ｂは、ヘッドホン４が保持部材１０に保持され且つ蓋体８が開位置に位置した状態での、実施の形態１に係る包装用箱２の外観を示す斜視図である。図７は、ヘッドホン４が保持部材１０に保持され且つ蓋体８が開位置に位置した状態での、実施の形態１に係る包装用箱２の外観を示す側面図である。
【００４７】
図１及び図５に示すように、ヘッドホン４が包装用箱２に包装された状態では、ヘッドホン４は保持部材１０に保持された状態で箱本体６の内部に収納され、且つ、第１の蓋部４０及び第２の蓋部４２の各々は閉位置に位置している。
【００４８】
その後、図６Ａに示すように、ユーザは、第２の蓋片４８及び第４の蓋片５４をそれぞれ両手の指で掴みながら、第１の蓋部４０及び第２の蓋部４２の各々を閉位置から中間位置まで回動させる。この状態では、開口部３８の長辺２６ａに対応する範囲が露出されるので、ユーザは、開口部３８の一部を通して箱本体６の内部に収納されたヘッドホン４を見ることができる。
【００４９】
その後、図６Ｂに示すように、ユーザは、第２の蓋片４８及び第４の蓋片５４をそれぞれ両手の指で掴みながら、第１の蓋部４０及び第２の蓋部４２の各々を中間位置から開位置まで回動させる。この状態では、開口部３８の全域が露出されるとともに、保持部材１０が第１の蓋部４０及び第２の蓋部４２の各開動作に連動して箱本体６の内部から開口部３８に向けて移動する。このとき、ヘッドホン４が保持部材１０とともに箱本体６の内部から開口部３８に向けて移動するので、ヘッドホン４全体が開口部３８の全域に露出される。
【００５０】
また、図７に示すように、ヘッドホン４のヘッドセット６４の一部は、箱本体６の開口部３８から箱本体６の外部に突出するようになる。これにより、ユーザは、ヘッドホン４を保持部材１０から取り外して包装用箱２の外部に取り出す際に、ヘッドセット６４等を手で容易に掴むことができる。
【００５１】
なお、ヘッドホン４を包装用箱２の内部に収納する際には、図６Ｂに示すようにヘッドホン４が保持部材１０に保持された状態で、第１の蓋部４０及び第２の蓋部４２の各々を開位置から閉位置まで回動させる。これにより、保持部材１０は、第１の連動部６８及び第２の連動部７０により箱本体６の内部に向けて押し下げられるので、図５に示すように箱本体６の内部に再度収納される。
【００５２】
［１−３．効果］
次に、実施の形態１に係る包装用箱２により得られる効果について説明する。上述したように、実施の形態１に係る包装用箱２は、ヘッドホン４（被包装物）を包装するための包装用箱である。包装用箱２は、開口部３８を有する箱本体６と、開口部３８を覆う閉位置と開口部３８を露出させる開位置との間を回動自在に箱本体６に接続された蓋体８と、箱本体６の内部に開口部３８に向けて移動自在に収納され、ヘッドホン４を保持するための保持部材１０と、蓋体８と保持部材１０とを連結することにより、蓋体８の閉位置から開位置に向かう開動作に連動して、保持部材１０を箱本体６の内部から開口部３８に向けて移動させる連動部材１２とを備える。
【００５３】
これにより、蓋体８の開動作に連動して、ヘッドホン４が保持部材１０とともに箱本体６の内部から開口部３８に向けて移動するので、ユーザはヘッドホン４を容易に取り出すことができる。
【００５４】
さらに、蓋体８は、箱本体６に回動自在に接続された第１の蓋片４６と、第１の蓋片４６の箱本体６と反対側の端部に回動自在に接続された第２の蓋片４８とを有する。連動部材１２は、第１の蓋片４６と保持部材１０とを連結する。
【００５５】
これにより、第２の蓋片４８のみが開方向に回動した際には、保持部材１０が箱本体６の内部に収納された状態で静止し、且つ、開口部３８の一部が露出するので、ユーザは、開口部３８の一部を通して箱本体６の内部に収納されたヘッドホン４を見ることができる。また、第１の蓋片４６及び第２の蓋片４８がともに開方向に回動した際には、連動部材１２により保持部材１０が箱本体６の内部から開口部３８に向けて移動するので、ユーザはヘッドホン４を容易に取り出すことができる。
【００５６】
さらに、箱本体６は、六角柱の対向する一対の端面２４ａ，２４ｂをそれぞれ形成する六角形状の一対の端板１４，１６と、一対の端板１４，１６の間に配置され、六角柱の６つの側面３６ａ〜３６ｆのうち隣接する３つの側面３６ｃ，３６ｄ，３６ｅをそれぞれ形成する矩形状の３つの側板１８，２０，２２とを有する。開口部３８は、六角柱の６つの側面３６ａ〜３６ｆのうち残りの３つの側面３６ａ，３６ｂ，３６ｆに対応して形成されている。蓋体８は、閉位置に位置した際に、六角柱の残りの３つの側面３６ａ，３６ｂ，３６ｆを形成する。
【００５７】
これにより、開口部３８は六角柱の残りの３つの側面３６ａ，３６ｂ，３６ｆに対応して形成されているので、開口部３８の面積を大きく確保することができる。その結果、ユーザは、ヘッドホン４を開口部３８から容易に取り出すことができる。
【００５８】
さらに、蓋体８は、３つの側板１８，２０，２２のうち両側の一対の側板１８，２２にそれぞれ回動自在に両開き式に接続された第１の蓋部４０及び第２の蓋部４２を有する。連動部材１２は、保持部材１０の一端部と第１の蓋部４０の裏面とを連結する第１の連動部６８と、保持部材１０の他端部と第２の蓋部４２の裏面とを連結する第２の連動部７０とを有する。
【００５９】
これにより、第１の蓋部４０及び第２の蓋部４２の各々を閉位置から開位置まで回動させた際に、保持部材１０の両端部をそれぞれ第１の連動部６８及び第２の連動部７０により牽引することができる。その結果、保持部材１０を箱本体６の内部から開口部３８に向けて容易に移動させることができる。
【００６０】
さらに、一対の端板１４，１６の各々は、六角形の６つの辺２６ａ〜２６ｆのうち対向する一対の長辺２６ａ，２６ｄの各々が第１の長さＬ１を有し、且つ、六角形の６つの辺２６ａ〜２６ｆのうち残りの４つの短辺２６ｂ，２６ｃ，２６ｅ，２６ｆの各々が第１の長さＬ１よりも短い第２の長さＬ２を有する六角形状に形成されている。開口部３８は、長辺２６ａと当該長辺２６ａの両側に隣接する一対の短辺２６ｂ，２６ｆとに対応して形成されている。
【００６１】
これにより、開口部３８の面積を大きく確保することができるので、ユーザは、ヘッドホン４を開口部３８から容易に取り出すことができる。
【００６２】
さらに、第１の蓋部４０は、一対の側板１８，２２のうち一方の側板１８に回動自在に接続された第１の蓋片４６と、第１の蓋片４６の一方の側板１８と反対側の端部に回動自在に接続された第２の蓋片４８とを有する。第２の蓋部４２は、一対の側板１８，２２のうち他方の側板２２に回動自在に接続された第３の蓋片５２と、第３の蓋片５２の他方の側板２２と反対側の端部に回動自在に接続された第４の蓋片５４とを有する。第１の連動部６８は、保持部材１０の一端部と第１の蓋片４６の裏面とを連結し、第２の連動部７０は、保持部材１０の他端部と第３の蓋片５２の裏面とを連結する。
【００６３】
これにより、第１の蓋部４０のうち第２の蓋片４８のみが開方向に回動し、且つ、第２の蓋部４２のうち第４の蓋片５４のみが開方向に回動した際には、保持部材１０が箱本体６の内部に収納された状態で静止し、且つ、開口部３８の一部が露出するので、ユーザは、開口部３８の一部を通して箱本体６の内部に収納されたヘッドホン４を見ることができる。また、第１の蓋部４０のうち第１の蓋片４６及び第２の蓋片４８がともに開方向に回動し、且つ、第２の蓋部４２のうち第３の蓋片５２及び第４の蓋片５４がともに開方向に回動した際には、第１の連動部６８及び第２の連動部７０により保持部材１０が箱本体６の内部から開口部３８に向けて移動するので、ユーザはヘッドホン４を容易に取り出すことができる。
【００６４】
（実施の形態２）
以下、図８〜図１３を参照しながら、実施の形態２について説明する。
【００６５】
［２−１．包装用箱の構成］
実施の形態２と上記実施の形態１とでは、包装用箱２Ａの形状が異なっている。具体的には、実施の形態２に係る包装用箱２Ａは直方体形状を有している。以下、包装用箱２Ａの各構成要素について、上記実施の形態１との相違点を中心に説明する。
【００６６】
［２−１−１．箱本体の構成］
まず、図８〜図１１を参照しながら、実施の形態２に係る包装用箱２Ａの箱本体６Ａの構成について説明する。図８は、蓋体８Ａが閉位置に位置した状態での、実施の形態２に係る包装用箱２Ａの外観を示す斜視図である。図９は、実施の形態２に係る包装用箱２Ａを示す図である。図１０は、図９の（ａ）のＸ−Ｘ断面図である。図１１は、蓋体８Ａが開位置に位置した状態での、実施の形態２に係る包装用箱２Ａの外観を示す斜視図である。なお、実施の形態２において、上記実施の形態１と同一の構成要素には同一の符号を付して、その説明を省略する。
【００６７】
図８〜図１１に示すように、箱本体６Ａは、例えば直方体形状を有しており、底板７２と、４つの側板７４，７６，７８，８０とを有している。
【００６８】
底板７２は、直方体の底面８２ａを形成する矩形状の底板である。なお、「直方体」とは、包装用箱２Ａによって形成される仮想的な立体形状である。
【００６９】
４つの側板７４，７６，７８，８０はそれぞれ、直方体の４つの側面８４ａ，８４ｂ，８４ｃ，８４ｄをそれぞれ形成する矩形状の側板である。４つの側板７４，７６，７８，８０はそれぞれ、底板７２の各辺に接続されている。なお、側板７４にはマグネット（図示せず）が取り付けられている。
【００７０】
図１１に示すように、直方体の底面８２ａに対向する天面８２ｂには、矩形状に開口された開口部３８Ａが形成されている。
【００７１】
［２−１−２．蓋体の構成］
次に、図８〜図１１を参照しながら、実施の形態２に係る包装用箱２Ａの蓋体８Ａの構成について説明する。
【００７２】
図８〜図１１に示すように、蓋体８Ａは、矩形状に形成されており、４つの側板７４，７６，７８，８０のうち１つの側板７８に回動自在に接続されている。蓋体８Ａは、Ｘ軸方向に直線状に延びる折り曲げ線８６に沿って折り曲げ自在である。蓋体８Ａの折り曲げ線８６よりも側板７８側の領域には第１の蓋片８８が形成され、蓋体８Ａの折り曲げ線８６よりも側板７８と反対側の領域には第２の蓋片９０が形成されている。なお、図１０及び図１１に示すように、第１の蓋片８８の裏面には、クッション材９２が取り付けられている。
【００７３】
図８に示すように、蓋体８Ａが閉位置に位置した際には、蓋体８Ａが折り曲げ線８６に沿って山折り状に折り曲げられることにより、第１の蓋片８８は開口部３８Ａを覆い、第２の蓋片９０は側板７４を覆う。すなわち、第１の蓋片８８は、直方体の天面８２ｂを形成する。なお、第２の蓋片９０にはマグネット（図示せず）が取り付けられている。第２の蓋片９０のマグネットと側板７４のマグネットとが互いに吸着することにより、蓋体８Ａが閉位置に保持される。
【００７４】
図１１に示すように、蓋体８Ａが蓋体８Ａと側板７４との境界を中心に回動することにより、蓋体８Ａは開位置に位置する。このとき、蓋体８Ａは、開口部３８Ａの全域を露出させる。
【００７５】
なお、実施の形態２では、蓋体８Ａは、閉位置と開位置との中間の中間位置には位置しない。
【００７６】
［２−１−３．保持部材の構成］
次に、図１０及び図１１を参照しながら、実施の形態２に係る包装用箱２Ａの保持部材１０Ａの構成について説明する。
【００７７】
図１０及び図１１に示すように、保持部材１０Ａは、上記実施の形態１と同様に、第１の保持部５６Ａ及び第２の保持部５８を有している。なお、第１の保持部５６Ａには、実施の形態１で説明した一対のホルダは取り付けられていない。
【００７８】
［２−１−４．連動部材の構成］
次に、図１１を参照しながら、実施の形態２に係る包装用箱２Ａの連動部材１２Ａの構成について説明する。
【００７９】
図１１に示すように、連動部材１２Ａは、第１の連動部６８Ａ及び第２の連動部７０Ａを有している。第１の連動部６８Ａは、第１の保持部５６Ａの長手方向における一端部と第１の蓋片８８の裏面とを連結する。第２の連動部７０Ａは、第１の保持部５６Ａの長手方向における他端部と第１の蓋片８８の裏面とを連結する。
【００８０】
［２−２．ヘッドホンの取り出し手順］
次に、図１２及び図１３を参照しながら、ヘッドホン４を包装用箱２Ａの外部に取り出す手順について説明する。図１２は、ヘッドホン４が保持部材１０Ａに保持された状態での、実施の形態２に係る包装用箱２Ａの断面図である。図１３は、ヘッドホン４が保持部材１０Ａに保持され且つ蓋体８Ａが開位置に位置した状態での、実施の形態２に係る包装用箱２Ａの外観を示す斜視図である。
【００８１】
図１２に示すように、ヘッドホン４が包装用箱２Ａに包装された状態では、ヘッドホン４は保持部材１０Ａに保持された状態で箱本体６Ａの内部に収納され、且つ、蓋体８Ａは閉位置に位置している。
【００８２】
その後、図１３に示すように、ユーザは、第２の蓋片９０を指で掴みながら、蓋体８Ａを閉位置から開位置まで回動させる。この状態では、開口部３８Ａの全域が露出されるとともに、保持部材１０Ａが蓋体８Ａの開動作に連動して箱本体６Ａの内部から開口部３８Ａに向けて移動する。このとき、ヘッドホン４が保持部材１０Ａとともに箱本体６Ａの内部から開口部３８Ａに向けて移動するので、ヘッドホン４全体が開口部３８Ａの全域に露出される。
【００８３】
［２−３．効果］
次に、実施の形態２に係る包装用箱２Ａにより得られる効果について説明する。上述したように、実施の形態２に係る包装用箱２Ａでは、箱本体６Ａは、直方体の底面８２ａを形成する矩形状の底板７２と、底板７２の各辺に接続され、直方体の４つの側面８４ａ，８４ｂ，８４ｃ，８４ｄをそれぞれ形成する矩形状の４つの側板７４，７６，７８，８０とを有する。開口部３８Ａは、直方体の底面８２ａに対向する天面８２ｂに形成されている。蓋体８Ａは、４つの側板７４，７６，７８，８０のうち１つの側板７８に回動自在に接続され、閉位置に位置した際に、直方体の天面８２ｂを形成する。
【００８４】
これにより、上記実施の形態１と同様に、ユーザはヘッドホン４を容易に取り出すことができる。
【００８５】
（他の実施の形態）
以上のように、本出願において開示する技術の例示として、実施の形態１及び２を説明した。しかしながら、本開示における技術は、これに限定されず、適宜、変更、置き換え、付加、省略などを行った実施の形態にも適用可能である。また、上記実施の形態１及び２で説明した各構成要素を組み合わせて、新たな実施の形態とすることも可能である。
【００８６】
そこで、以下、他の実施の形態を例示する。
【００８７】
実施の形態１では、包装用箱２を六角柱形状に形成したが、これに限定されず、例えば三角柱形状又は五角柱形状等の任意の角柱形状に形成してもよい。あるいは、包装用箱２を例えば円柱形状又は楕円柱形状等の任意の立体形状に形成してもよい。
【００８８】
以上のように、本開示における技術の例示として、実施の形態を説明した。そのために、添付図面及び詳細な説明を提供した。
【００８９】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９０】
また、上述の実施の形態は、本開示における技術を例示するためのものであるから、特許請求の範囲又はその均等の範囲において種々の変更、置き換え、付加、省略などを行うことができる。
【産業上の利用可能性】
【００９１】
本開示は、被包装物を包装するための包装用箱に適用可能である。具体的には、例えばヘッドホン等の商品を包装するための包装用箱に、本開示は適用可能である。
【符号の説明】
【００９２】
２，２Ａ  包装用箱
４  ヘッドホン（被包装物）
６，６Ａ  箱本体
８，８Ａ  蓋体
１０，１０Ａ  保持部材
１２，１２Ａ  連動部材
１４，１６  端板
１８，２０，２２，７４，７６，７８，８０  側板
２４ａ，２４ｂ  端面
２６ａ，２６ｄ  長辺
２６ｂ，２６ｃ，２６ｅ，２６ｆ  短辺
２８，３２  取付片
３０，３４  当接片
３６ａ，３６ｂ，３６ｃ，３６ｄ，３６ｅ，３６ｆ，８４ａ，８４ｂ，８４ｃ，８４ｄ，８４ｅ，８４ｆ  側面
３８，３８Ａ  開口部
４０  第１の蓋部
４２  第２の蓋部
４４，５０，５９，８６  折り曲げ線
４６，８８  第１の蓋片
４８，９０  第２の蓋片
５２  第３の蓋片
５４  第４の蓋片
５６，５６Ａ  第１の保持部
５８  第２の保持部
６０，６２  ホルダ
６４  ヘッドセット
６６  ハウジング
６８，６８Ａ  第１の連動部
７０，７０Ａ  第２の連動部
７２  底板
８２ａ  底面
８２ｂ  天面
９２  クッション材
【図１】
2017043369.tif 000003
【図２】
2017043369.tif 000004
【図３】
2017043369.tif 000005
【図４Ａ】
2017043369.tif 000006
【図４Ｂ】
2017043369.tif 000007
【図５】
2017043369.tif 000008
【図６Ａ】
2017043369.tif 000009
【図６Ｂ】
2017043369.tif 000010
【図７】
2017043369.tif 000011
【図８】
2017043369.tif 000012
【図９】
2017043369.tif 000013
【図１０】
2017043369.tif 000014
【図１１】
2017043369.tif 000015
【図１２】
2017043369.tif 000016
【図１３】
2017043369.tif 000017